(57)【要約】【課題】  配管にケーブルを入線する作業の際に使用する潤滑剤の量を少なくし、作業効率を向上させること、であり、作業環境を潤滑剤で汚す事を防止するケーブル入線用潤滑剤塗布器具を提供することである【解決手段】  本発明のケーブル入線用潤滑剤塗布器具は、開閉するケーシングと、ケーシングの内部に配置されて潤滑剤をケーブルに塗布可能なブラシと、潤滑剤を含浸可能な多孔質の潤滑剤含浸部材と、を有する。入線するケーブルをケーシングの中に通す。潤滑剤をケーシング内に供給しながら、ケーブルをケーシングの中を通過させることにより、ケーブルの外周面に、潤滑剤を塗布する。【選択図】  図４
2012035165.tif 000002
【特許請求の範囲】
【請求項１】
ケーブルの外周面に潤滑剤を塗布するケーブル入線用潤滑剤塗布器具であって、
上蓋及び下蓋を有して開閉可能なケーシングと、当該ケーシングの内部に配置されて潤滑剤をケーブル外周面に塗布可能なブラシと、潤滑剤を含浸し潤滑剤をケーブル外周面に塗布可能な多孔質の潤滑剤含浸部材と、を有し
前記ケーシングは、前記ブラシと前記潤滑剤含浸部材に潤滑剤を供給する潤滑剤供給口と、ケーブル入口と、ケーブル出口と、を有し、
前記潤滑剤供給口は、潤滑剤供給量調整器に接続され、前記潤滑剤供給量調整器は、潤滑剤供給源に接続されていることを特徴とするケーブル入線用潤滑剤塗布器具。
【請求項２】
前記ケーシングの上蓋内部に配置されて、潤滑剤をケーブル外周面に塗布可能なブラシと、下蓋内部に配置されて、潤滑剤を含浸し潤滑剤をケーブル外周面に塗布可能な多孔質の潤滑剤含浸部材とを、有すことを特徴とする請求項１、記載のケーブル入線用潤滑剤塗布器具。
【請求項３】
前記ケーシングは、前記ケーシングを、配管の開口端に固定する配管固定ガイドを、有することを特徴とする請求項１、記載のケーブル入線用潤滑剤塗布器具。
【発明の詳細な説明】
【技術分野】
【０００１】
本発明は、配管の中にケーブルを挿入するケーブル入線作業の際の、ケーブルの外周面に潤滑剤を塗布するケーブル入線用潤滑剤塗布器具に関するものである。          
【背景技術】
【０００２】
ケーブル入線作業の時に、ケーブルの外周面に潤滑剤を塗布する技術として、ケーブル入線用潤滑剤塗布装置が提唱されている(特許文献２参照)。
【先行技術文献】
【特許文献】
【０００３】
【特許文献１】特開平１０−０４２４１６号公報
【特許文献２】実用新案登録  第３１５２６１６号
【発明の概要】
【発明が解決しようとする課題】
【０００４】
しかしながら、前述したケーブル入線用潤滑剤塗布装置を使用した場合、潤滑剤をケーシング内の潤滑剤含浸部材に十分に潤滑剤を含浸させてから作業を行う為、潤滑剤含浸部材に潤滑剤を含浸させる分の潤滑剤がおおく必要になる。潤滑剤の使用する量が多ければ、作業後の潤滑剤含浸部材に潤滑剤を含浸させた潤滑剤の処理も必要である。
【０００５】
本発明は、上記の問題を解決するための物であり、その目的とするところは、配管に新たにケーブルを入線するに際して作業効率を向上させ、使用する潤滑剤の量を少なくする事である。ケーシング内に潤滑剤含浸部材だけでなく、ブラシを使用する事で、使用する潤滑剤を減少させる事が可能である。また、ケーシング内の潤滑剤含浸部材に、十分に潤滑剤が含浸した場合は、潤滑剤のケーシング内への供給を停止し、潤滑剤含浸部材に含浸された潤滑剤をケーブル外周面に塗布する事ができる。この事により、使用する潤滑剤を少なくし、効率的に入線作業ができる。このように、潤滑剤の無駄を少なくし、また作業環境を潤滑剤で汚す事を防止可能なケーブル入線用潤滑剤塗布器具を提供することである。
【課題を解決するための手段】
【０００６】
本発明はその課題を解決するために以下のような構成をとる。請求項１の考案に係るケーブル入線用潤滑剤塗布器具は、ケーブルの外周面に潤滑剤を塗布するケーブル入線用潤滑剤塗布器具であって、上蓋及び下蓋を有して開閉可能なケーシングと、当該ケーシングの内部に配置されて潤滑剤をケーブル外周面に塗布可能なブラシと、潤滑剤を含浸し潤滑剤をケーブル外周面に塗布可能な多孔質の潤滑剤含浸部材と、を有し、前記ケーシングは、前記ブラシと前記潤滑剤含浸部材に潤滑剤を供給する潤滑剤供給口と、ケーブル入口と、ケーブル出口と、を有し、前記潤滑剤供給口は、潤滑剤供給量調整器に接続され、前記潤滑剤供給量調整器は、潤滑剤供給源に接続されていることを特徴とする。
【０００７】
請求項２の発明に係るケーブル入線用潤滑剤塗布器具は、前記ケーシングの上蓋内部に配置されて、潤滑剤をケーブル外周面に塗布可能なブラシと、下蓋内部に配置されて、潤滑剤を含浸し潤滑剤をケーブル外周面に塗布可能な多孔質の潤滑剤含浸部材とを、有す。
【０００８】
請求項３の発明に係るケーブル入線用潤滑剤塗布器具は、前記ケーシングは、前記ケーシングを配管の開口端に固定する配管固定ガイドを、有する。
【０００９】
ケーブルを挿入する配管の開口端側をケーブル挿入側とする。ケーブルを引き出す配管の開口端側をケーブル引き出し側とする。作業員を、配管の両方の開口端側に配置する。ケーブルを配管の中に入線する際は、まず、ケーブル引き線を配管の中にケーブル挿入側の開口端からケーブル引き出し側の開口端まで、通しておく。ケーブル入線用潤滑剤塗布器具は、ケーブル挿入側で、使用する。入線するケーブルをケーブル挿入側に準備する
【００１０】
そしてケーブルの端部とケーブル引き線の端部を接続する。ケーブル挿入側の作業員は、ケーブルが接続されたケーブル引き線を、ケーシングのケーブル入口とケーブル出口に合わせて、入れる。その際ケーシングの向きは、ケーブル出口を、これから入線する配管側に向ける。ケーシングの上蓋と下蓋を閉める。ケーシングに取り付けてあるバンドで、ケーシングが開かないように、固定する。ケーブルを入線する配管の開口端を、配管固定ガイドに合わせて配管固定バンドで固定する。
【００１１】
そして潤滑剤供給量調整器を調整し潤滑剤供給源よりケーシング内に潤滑剤を供給する。潤滑剤は、ケーシング内で潤滑剤供給口からブラシや潤滑剤含浸部材に、付着する。ケーブル外周面は、ケーシング内を通過する際、ブラシと潤滑剤含浸部材に接触する。潤滑剤が付着したブラシや潤滑剤含浸部材がケーブル外周面に接触し潤滑剤が、ケーブル外周面に、塗布される。ケーブルをケーブル出口側から引き出すと、この引き出されたケーブルの外周面には潤滑剤が塗布されている。
【００１２】
ケーブル挿入側の作業員が、ケーブルを入線する配管へ送り出す。ケーブル引き出し側の作業員が、ケーブル引き線を、配管の開口端から引き出す。その際、ケーブル挿入側の作業員は、ケーブルをケーシングの中を通過させ、配管に送り出す。ケーブルを送り出す際、潤滑剤をケーシング内部に供給する。ケーシングの中を通過しケーブル出口から引き出されたケーブルの、外周面には、潤滑剤が塗布されている。潤滑剤を塗布されたケーブルが、ケーブル引き線に引っ張られて、配管の中に入線される。潤滑剤含浸部材に十分に潤滑剤が含浸されたら、潤滑剤供給量調整器により、ケーシング内への潤滑剤の供給を停止する。潤滑剤のケーシング内への供給を停止しても、潤滑剤含浸部材に含まれた潤滑剤によりケーブルの外周面への、潤滑剤の塗布が可能である。
【発明の効果】
【００１３】
本発明のケーブル入線用潤滑剤塗布器具の効果は次の通りである。ケーブルをケーシングの中に入れる。潤滑剤を潤滑剤供給口からケーシング内へ供給する。ケーブルをケーブル入口から、ケーブル出口へ通過させる事により、簡単にケーブルの外周面に潤滑剤を塗布する事ができる。潤滑剤含浸部材に潤滑剤が十分に含浸された場合は、潤滑剤のケーシング内への供給を停止しても、潤滑剤剤含浸部材に含まれた潤滑剤によりケーブルの外周面に潤滑剤の塗布が可能である。その為、使用する潤滑剤の量を少なくし、潤滑剤をケーブル外周面に効率よく塗布し、入線作業ができる。また、潤滑剤で、手や作業場を汚す事が無く、効率よく入線作業ができる。
【図面の簡単な説明】
【００１４】
【図１】ケーブル入線用潤滑剤塗布器具の斜視図である。
【図２】ケーシングの上蓋、下蓋内部の斜視図である
【図３】ケーブル入線作業の準備と作業員の配置図である。
【図４】ケーシングの中にケーブルを接続したケーブル引き線を通す手順を説明するケーブル入線用潤滑剤塗布器具の説明図である。
【図５】ケーブルを接続したケーブル引き線をケーシング内に通したケーブル入線用潤滑剤塗布器具の側面図である。
【発明を実施するための形態】
【００１５】
図１から図２を参照しつつケーブル入線用潤滑剤塗布器具１の構成を説明する。ケーブル入線用潤滑剤塗布器具１は、ケーシング２内部の潤滑剤含浸部材３とブラシ４と、潤滑剤をブラシ４と潤滑剤含浸部材３に供給する潤滑剤供給口５と、を有している。ケーシング２には、開閉可能な上蓋６と下蓋７がある。ケーシング２には、ケーシング２を閉めた時、固定するバンド８が取り付けてある。潤滑剤供給口５には潤滑剤を供給する為の、潤滑剤供給源９が付いる。潤滑剤供給源９と潤滑剤供給口５の間には潤滑剤供給量調整器１０が設けられている。潤滑剤供給源９には、潤滑剤が充填されている。ケーシング２には、ケーブルを入れる為の、ケーブル入口１１とケーブル出口１２がある。ケーシング２は、ケーシング２を配管１４の開口端に固定する配管固定ガイド１９を有する。配管固定ガイド１９は、配管１４の開口端にケーシング２を固定する配管固定バンド２０を有する。
【実施例１】
【００１６】
ケーブル入線用潤滑剤塗布器具１の使用方法について図３、図４、図５、を用いて説明する。
【００１７】
まず、ケーブル１３を配管１４に入線する際の、作業員１７の配置とケーブル入線前の準備を、図３を用いて説明する。ケーブル１３を挿入する配管１４の開口端側をケーブル挿入側１５とする。ケーブル１３を引き出す配管１４の開口端側をケーブル引き出し側１６とする。作業員１７を、配管１４の両方の開口端側に配置する。ケーブル１３を配管１４の中に入線する際は、まず、ケーブル引き線１８を、ケーブル挿入側１５の配管１４の開口端から、ケーブル引き出し側１６の配管１４の開口端まで、通しておく。
【００１８】
配管１４に入線するケーブル１３をケーブル挿入側１５に準備する。配管１４の中に通したケーブル引き線１８の端部に、ケーブル１３の端部を取れないように接続する。ケーブル入線用潤滑剤塗布器具１は、ケーブル挿入側１５で使用する。上記が、作業員１７の配置とケーブル入線作業前の準備である。
【実施例２】
【００１９】
ケーシング２の中にケーブル１３が接続されたケーブル引き線１８を、を通し、潤滑剤をケーブル１３に塗布しながら、ケーブル１３を配管１４に、入線する為のケーブル入線用潤滑剤塗布器具１の使用方法について、図３、図４、図５を用いて説明する。まず（実施例１）の様に、作業員１７の配置とケーブル入線前の準備をする。ケーブル挿入側１５の作業員１７は、ケーシング２の、上蓋６と下蓋７を開き、ケーブル１３が接続されたケーブル引き線１８を、ケーブル入口１１とケーブル出口１２に合わせて、ケーシング２の中に、設置する。その際ケーシング２の向きは、ケーブル出口１２を、これから入線する配管１４側に向ける。ケーシング２の上蓋６と下蓋７を閉める。ケーシング２に取り付けてあるバンド８で、ケーシング２が開かないように、固定する。ケーブル１３を入線する配管１４の開口端を、配管固定ガイド１９に合わせて配管固定バンド２０で固定する。配管１４の開口端にケーシング２を固定することにより、作業が効率的になる。
【００２０】
ケーブル挿入側１５の作業員１７は、潤滑剤供給量調整器１０を調整し潤滑剤供給源９からケーシング２内に供給される潤滑剤の量を調整する。このことにより潤滑剤を、潤滑剤供給口５から、ケーシング２内に、その時に適した必要な量を供給する事が出来る。潤滑剤は、ケーシング２内で潤滑剤供給口５からブラシ４や潤滑剤含浸部材３に、付着する。ケーブル１３の外周面は、ケーシング２内を通過する際、ブラシ４と潤滑剤含浸部材３に接触する。潤滑剤が付着したブラシ４や潤滑剤含浸部材３がケーブル１３の外周面に接触し潤滑剤が、ケーブル１３の外周面に、塗布される。ケーブル１３の外周面への潤滑剤の塗布に際し、必要以上の潤滑剤は、潤滑剤含浸部材３に含浸される。
【００２１】
ケーブル引き出し側１６の作業員１７が、ケーブル引き線１８を、配管１４の開口端から引き出す。その際、ケーブル挿入側１５の作業員１７は、ケーブル１３をケーシング２の中を通過させ、配管１４に送り出す。ケーブル１３を送り出す際、潤滑剤がケーシング２内に供給される。ケーブル１３がケーブル引き線１８に引っ張られて、ケーブル出口１２から引き出される。ケーシング２の中を通過しケーブル出口１２から引き出されたケーブル１３の、外周面には、潤滑剤が塗布されている。潤滑剤を塗布されたケーブル１３が、ケーブル引き線１８に引っ張られて、配管１４の中に入線される。潤滑剤含浸部材３に十分に潤滑剤が含浸されたら、潤滑剤供給量調整器１０により、潤滑剤の供給を停止する。潤滑剤のケーシング２内への供給を停止しても、潤滑剤含浸部材３に含まれた潤滑剤によりケーブル１３の外周面への、潤滑剤の塗布が可能である。
【産業上の利用可能性】
【００２２】
ケーブルに限らず、長く通しづらい、筒状の物に、物を通すさい、利用できる。
【符号の説明】
【００２３】
１  ケーブル入線用潤滑剤塗布器具
２  ケーシング
３  潤滑剤含浸部材
４  ブラシ
５  潤滑剤供給口
６  上蓋
７  下蓋
８  バンド
９  潤滑剤供給源
１０  潤滑剤供給量調整器
１１  ケーブル入口
１２  ケーブル出口
１３  ケーブル
１４  配管
１５  ケーブル挿入側
１６  ケーブル引き出し側
１７  作業員
１８  ケーブル引き線
１９  配管固定ガイド
２０  配管固定バンド
【図１】
2012035165.tif 000003
【図２】
2012035165.tif 000004
【図３】
2012035165.tif 000005
【図４】
2012035165.tif 000006
【図５】
2012035165.tif 000007